(57)【要約】【課題】複数の表示手段のうち一つの表示手段から発せられた光を、適切に観察者に視覚されるように伝搬し、その結果、観察者に好適に立体感のある画像を視覚せしめる。【解決する手段】表示装置（１）は、観察者の視線上で複数の画像を、所定距離を隔てて重ねて表示することで立体表示を行う表示装置であって、第１画面を有する第１表示手段（１１）と、第１表示手段に対向配置されており且つ第１画面に重なる半透明な第２画面を有する第２表示手段（１２）と、第１及び第２画面が視線上で所定距離を隔てて重なるように、第１及び第２表示手段間の空間に少なくとも部分的に充填されており且つ第１及び第２表示手段を相互に接着する光透過性を有する接着手段（２１）とを備える。【選択図】  図１
2004226856.tif 000002
【特許請求の範囲】
【請求項１】
観察者の視線上で複数の画像を、所定距離を隔てて重ねて表示することで立体表示を行う表示装置であって、
第１画面を有する第１表示手段と、
前記第１表示手段に対向配置されており且つ前記第１画面に重なる半透明な第２画面を有する第２表示手段と、
前記第１及び第２画面が前記視線上で前記所定距離を隔てて重なるように、前記第１及び第２表示手段間の空間に少なくとも部分的に充填されており且つ前記第１及び第２表示手段を相互に接着する光透過性を有する接着手段と
を備えたことを特徴とする表示装置。
【請求項２】
前記第１表示手段は、
第１基板と、
該第１基板上に形成されており且つ前記第１画面を構成するように光を発する第１発光層と
を備えており、
前記第２表示手段は、
光透過性を有する第２基板と、
該第２基板上に形成されており且つ前記第２画面を構成するように光を発する第２発光層と
を備えたことを特徴とする請求項１に記載の表示装置。
【請求項３】
前記接着手段は、前記第２基板における前記第２発光層が形成されていない側の表面が前記第１表示手段に対面するように、前記第１及び第２表示手段を接着することを特徴とする請求項２に記載の表示装置。
【請求項４】
前記第１基板は光透過性を有しており、
前記接着手段は、前記第１基板における前記第１発光層が形成されていない側の表面が前記第２基板における前記第２発光層が形成されていない側の表面に対面するように、前記第１及び第２表示手段を接着することを特徴とする請求項３に記載の表示装置。
【請求項５】
前記接着手段の屈折率は、前記第１基板及び第２基板のうち少なくとも一方の基板の屈折率と相等しいことを特徴とする請求項２から４のいずれか一項に記載の表示装置。
【請求項６】
前記接着手段は、光学接着剤であることを特徴とする請求項１から５のいずれか一項に記載の表示装置。
【請求項７】
第１基板及び該第１基板上に形成されており且つ第１画像を表示するための光を発する第１発光層を備えた第１表示手段と、
前記第１基板に対向配置されており且つ光透過性を有する第２基板及び該第２基板上に形成されており且つ前記第１画像に重なる第２画像を表示するための光を発する第２発光層を備えた第２表示手段と
を備え、
前記第１及び第２発光層が観察者の視線上で前記第２基板を含む空間を隔てて相前後して配置されるように、前記第２基板における前記第２発光層が形成されていない側の表面が前記第１表示手段に接合されていることを特徴とする表示装置。
【請求項８】
前記第１基板は、光透過性を有し、
前記第２基板における前記第２発光層が形成されていない側の表面が前記第１基板における前記第１発光層が形成されていない側の表面に接合されていることを特徴とする請求項７に記載の表示装置。
【請求項９】
前記第１基板の屈折率は、前記第２基板の屈折率よりも相対的に大きいことを特徴とする請求項２から８のいずれか一項に記載の表示装置。
【請求項１０】
前記第１基板及び前記第２基板のうち少なくとも一方は、ガラス及びプラスティックのうち少なくとも一方を含んでなることを特徴とする請求項２から９のいずれか一項に記載の表示装置。
【請求項１１】
前記第１表示手段及び前記第２表示手段は、前記第１表示手段及び前記第２表示手段の夫々の画素ごとに対応して前記観察者の視線上で重ねられていることを特徴とする請求項１から１０のいずれか一項に記載の表示装置。
【請求項１２】
前記第２表示手段は、有機エレクトロルミネッセンス表示デバイスであることを特徴とする請求項１から１１のいずれか一項に記載の表示装置。
【請求項１３】
前記第２基板は、ポリマーフィルムを含んでなることを特徴とする請求項１２に記載の表示装置。
【発明の詳細な説明】
【０００１】
【発明の属する技術分野】
本発明は、複数の表示手段が観察者の視線方向に相前後して配置された表示装置であって、夫々の表示手段に表示する画像を制御して立体視することを可能とする表示装置の技術分野に属する。
【０００２】
【従来の技術】
従来、立体視することが可能な表示装置として種々の形態のものが提案され、或いは実用化がなされている。例えば、電気的に書き換え可能であり、立体的な画像を表示することが可能な表示装置として、液晶シャッタ眼鏡方式等が良く知られている。この液晶シャッタ眼鏡方式はカメラで物体を異なる方向から撮影し、得られた視差情報を含む画像データを合成して１つの画像信号に合成し、表示装置に入力し表示する。観察者は液晶シャッタ眼鏡をかけ、例えば奇数フィールド時に右目用の液晶シャッタを透過状態とし左目用の液晶シャッタを光遮断状態とする。一方、偶フィールド時に左目用の液晶シャッタを透過状態とし右目用の液晶シャッタを光遮断状態とする。このとき、奇数フィールドに右目用の画像を、偶フィールドに左目用の画像を同期して表示することで右目用、左目用の視差を含む画像を夫々の目で見ることにより立体的な画像を視覚するものである。
【０００３】
又、観察者の視線上に相前後して複数の表示部を配置し、それらに表示される画像を重ねて見ることによって、奥行き方向には離散的であるが、立体的な画像として視覚される表示装置がある。又、その離散的な状態を改善するために、表示装置の夫々に表示される画像の輝度に変化を付けることによって、離散的な位置の中間位置に物体があるかの様に視覚され、より立体感が自然となるように改良された表示装置がある。例えば、複数のハーフミラーを用いて複数の表示部からの物体像を重ねて表示することで、半透明な物体や後ろの物体が透けて見えるような表示を可能ならしめる、輝度変調型の表示装置が提案されている（例えば、特許文献１参照）。
【０００４】
【特許文献】
特開２０００−１１５８１２号公報
【０００５】
【発明が解決しようとする課題】
ところで、これらの観察者の視線上に相前後して配置された複数の表示部を有する表示装置では、一の表示部から放射される光が他の表示部を透過する際に、一の表示部より放射された光の一部が他の表示部によって反射され、本来表示するべき立体的な画像を表示することが困難或いは不可能という技術的な問題点を有している。例えば、観察者の側から見て後方に配置された一つの表示部より放射され観察者の側に伝搬する光は、当該一の表示部の前方に配置された他の表示部の表面にて部分的に反射されるため、観察者は一の表示部から伝搬してくる光のうち反射する光の量だけ減衰した光を視覚することになる。従って、観察者は本来の輝度、明度或いは光量とは異なる画像を視覚するという技術的な問題点を有している。輝度変調型の表示装置では特に、このような反射による輝度の変化分を勘案して輝度を決めなければ、立体表示を適切に行うことが困難であるという問題点もある。
【０００６】
本発明は、例えば上述の問題点に鑑みなされたものであり、例えば、複数の表示部のうち一つの表示部から発せられた光を、適切に観察者に視覚されるように伝搬し、その結果、観察者に好適に立体感のある画像を視覚せしめる表示装置を提供することを課題とする。
【０００７】
【課題を解決する手段】
上記課題を解決するために、請求項１に記載の表示装置は、観察者の視線上で複数の画像を、所定距離を隔てて重ねて表示することで立体表示を行う表示装置であって、第１画面を有する第１表示手段と、前記第１表示手段に対向配置されており且つ前記第１画面に重なる半透明な第２画面を有する第２表示手段と、前記第１及び第２画面が前記視線上で前記所定距離を隔てて重なるように、前記第１及び第２表示手段間の空間に少なくとも部分的に充填されており且つ前記第１及び第２表示手段を相互に接着する光透過性を有する接着手段とを備える。
【０００８】
上記課題を解決するために、請求項７に記載の表示装置は、第１基板及び該第１基板上に形成されており且つ第１画像を表示するための光を発する第１発光層を備えた第１表示手段と、前記第１基板に対向配置されており且つ光透過性を有する第２基板及び該第２基板上に形成されており且つ前記第１画像に重なる第２画像を表示するための光を発する第２発光層を備えた第２表示手段とを備え、前記第１及び第２発光層が観察者の視線上で前記第２基板を含む空間を隔てて相前後して配置されるように、前記第２基板における前記第２発光層が形成されていない側の表面が前記第１表示手段に接合されている。
【０００９】
本発明の作用及び利得は次に説明する実施の形態から明らかにされよう。
【００１０】
【発明の実施の形態】
本発明の実施の形態について以下に説明する。
【００１１】
本発明の表示装置に係る第１実施形態は、観察者の視線上で複数の画像を、所定距離を隔てて重ねて表示することで立体表示を行う表示装置であって、第１画面を有する第１表示手段と、前記第１表示手段に対向配置されており且つ前記第１画面に重なる半透明な第２画面を有する第２表示手段と、前記第１及び第２画面が前記視線上で前記所定距離を隔てて重なるように、前記第１及び第２表示手段間の空間に少なくとも部分的に充填されており且つ前記第１及び第２表示手段を相互に接着する光透過性を有する接着手段とを備える。
【００１２】
本発明の表示装置に係る第１実施形態によれば、その動作時には、観察者の側から見て後方に配置された第１画面（即ち、第１表示手段）及び観察者の側から見て前方に配置された第２画面（即ち、第２表示手段）によって複数の立体表示用の画像を形成し、観察者の視線上において該立体表示用の画像を重ねて表示すれば、立体表示或いは三次元表示を行うことが可能となる。即ち、観察者は立体的な画像を視覚することが可能となる。例えば、輝度変調型の立体表示であれば、第１表示手段及び第２表示手段（以下、適宜“二つの表示手段”と称する）の夫々に表示される同一画像部分についての輝度の割振によって、二つの表示手段間におけるいずれかの奥行位置に画像が存在するように見える、連続的な立体表示が可能となる。或いは、画像部分が、二つの表示手段のいずれかに表示されている離散的な立体表示が可能となる。更に、二つの表示手段の場合に限らず、三つ以上の複数の表示手段を備えた表示装置においても、三つ以上の表示手段間のいずれかの位置に画像が存在するように見える、連続的又は離散的な立体表示も可能となる。
【００１３】
ここで、仮に二つの表示手段の間が空気で満たされているとすると、二つの表示手段のうち観察者の側から見て後方に配置された表示手段の画面（即ち、第１画面）から発せられた光（即ち、立体表示用の画像を形成する光）は、二つの表示手段間の空間を満たす空気の層を介して、二つの表示手段のうち観察者の側から見て前方に配置された表示手段の画面（即ち、第２画面）へと伝搬し、観察者に視覚される。
【００１４】
ここに、空気の層の屈折率は、画面を構成する材質（例えば、石英等）の屈折率と比較して相対的に小さく、且つ光は屈折率の大きい媒質中から小さい媒質中へ垂直に入射する場合には、その光は二つの異なる媒質の境界面において反射するという性質が知られている。このため、第１画面から発せられた光が空気の層から第２画面へ入射する際に、第２画面の表面において、入射する光の一部或いは全部が反射することとなる。この反射により、第１画面から発せられる光が大きく減衰し、その光により形成される画像の輝度、明度或いは光量等を大きく変化させる原因となる。このような状況は、輝度調整により立体表示を可能とする立体表示方式にとっては大きな問題となる。
【００１５】
しかるに本発明の表示装置に係る第１実施形態によれば、接着手段が二つの表示手段間（即ち、二つの画面間）に、少なくとも部分的に充填され、二つの表示手段を相互に接着することで、二つの画面間を満たしている空気の層を取り除き、上述のような空気の層と第２画面との境界面における光の反射を低減可能となる。即ち、空気の層と第２画面との屈折率の相違により光の反射という好ましくない現象が生じているため、接着手段を二つの表示手段間に充填することで空気の層を取り除く。且つ、接着手段の屈折率を、当該接着手段と第２画面との境界面における屈折率変化がより小さくなるような、好ましくは屈折率変化がない所望の値に調整する。これにより、上述の如き光の反射を低減可能となる。より好ましくは、所望の屈折率を有する接着手段を二つの表示手段間の空間全体にわたって充填することで、光の反射を大きく低減或いは防止することが可能となる。従って、第１画面が発する光は減衰することなく観察者に伝搬する。このため、第１画面に表示される画像を、その画像本来の輝度、明度或いは光量等を変化させることなく観察者に視覚させることが可能となる。これにより、観察者は、二つの表示手段に表示される画像を適切に重ねて視覚することが可能となる。即ち、立体感のある画像を視覚することが可能となる。
【００１６】
ここに、接着手段は、例えば、二つの表示手段間の空間を充填する所定の屈折率を有する、例えばガラス或いは樹脂等を含んでなる透明部材或いは媒質であってもよいし、二つの表示手段を直接貼り合わせることで相互に接着する、例えば光学接着剤であってもよい。
【００１７】
加えて、接着手段が接着するのは二つの表示手段に限られず、観察者の視線上において重ねて配置される複数の表示手段のうち、全ての隣り合う二つの表示手段を接着する構成であってもよい。これにより、三つ以上の複数の表示手段を備えた表示装置においても、夫々の表示手段の画面と空気の層との間における光の反射を低減することができ、その結果、観察者は、立体感のある画像を視覚することが可能となる。
【００１８】
更に、第１実施形態において、立体表示方式或いは三次元表示方式として、輝度変調方式の他、任意の立体表示方式或いは三次元表示方式を採用しても、上述の如く接着手段により、二つの表示手段間の空間を充填し、且つ相互に接着することで、同様の効果を得ることが可能である。
【００１９】
加えて、接着手段により二つの表示手段を接着する態様では、例えば光学顕微鏡等により、二つの表示手段の位置（即ち、例えば二つの表示手段の画素の位置）を合わせ、二つの表示手段を相互に接着するのみで、複数の表示手段を有する表示装置（即ち、立体表示用の表示装置）を生産することが可能となる。従って、従来のように、大掛かりな装置を用いて表示手段の位置合わせ等を行う必要がなくなり、生産工程の簡略化或いは生産コストの削減等が可能となるという実践上大きな利点を有する。また、表示装置の構成自体も簡略化されるため、生産工程が更に簡略化され、大量生産等にも適しているという実践上大きな利点を有する。
【００２０】
本発明の表示装置に係る第１実施形態の一の態様では、前記第１表示手段は、第１基板と、該第１基板上に形成されており且つ前記第１画面を構成するように光を発する第１発光層とを備えており、前記第２表示手段は、光透過性を有する第２基板と、該第２基板上に形成されており且つ前記第２画面を構成するように光を発する第２発光層とを備える。
【００２１】
この態様によれば、例えば基板と、基板上に形成される発光層たる有機エレクトロルミネッセンス層（以下、適宜エレクトロルミネッセンスを“ＥＬ”と称する）を含んでなる有機ＥＬ表示デバイス等の表示手段を用いて、本発明の表示装置に係る第１実施形態を構成することが可能となる。当該有機ＥＬ表示デバイスは、光透過性を有する表示手段であり、本実施形態に係る表示装置を実現するのに好適な表示手段となる。
【００２２】
光透過性を有する第２基板は、例えばガラス或いはプラスティックを含んで構成されている。従って、光透過性を有する第２表示手段を構成可能となる。これにより、第１発光層及び第２発光層を、観察者の視線上で、接着手段を含む空間を隔てて相前後して直接配置することが可能となる。尚、第１基板は、光透過性を有していてもよいし、有していなくともよい。
【００２３】
この場合、接着手段は第１基板と第２基板とを相互に接着してもよいし、第１発光層と第２発光層とを相互に接着してもよいし、第１基板と第２発光層とを、或いは第２基板と第１発光層を相互に接着してもよい。
【００２４】
加えて、第１基板或いは第２基板は例えばレンズ機能或いは色変換機能等の各種画像変換機能を備えていてもよい。即ち、第１基板或いは第２基板は、例えば、レンズアレイを含んで構成されていてもよいし、色変換フィルターを備えて構成されていてもよい。第１表示手段或いは第２表示手段が表示する画像（即ち、発光層が発する光の集合）を、これらの機能を備えた基板を介して視覚することで、例えばマイコン等により行われる通常の画像処理による画像表示に代えて或いは加えて、比較的容易に、多彩な画像表示の形態を実現することが可能となる。
【００２５】
上述の如く表示手段が基板及び発光層を含んで構成されている表示装置の態様では、前記接着手段は、前記第２基板における前記第２発光層が形成されていない側の表面が前記第１表示手段に対面するように、前記第１及び第２表示手段を接着する。
【００２６】
複数の表示手段を用いる立体表示方式においては、複数の表示手段の間隔（即ち、複数の表示手段の夫々が表示する画像の間隔）に応じて、観察者が感じる立体感が異なってくる。即ち、立体表示に適した複数の表示手段の夫々の間隔が存在することとなる。
【００２７】
従って、このように構成すれば、第２基板及び接着手段の夫々の厚みの合計に相当する距離だけ、第１画面及び第２画面（即ち、第１発光層及び第２発光層）を隔てることが可能となる。即ち、第２基板及び接着手段の夫々の厚さを所定の厚みにすることで、第１表示手段及び第２表示手段を、立体表示に適した所望の間隔を隔てて配置することが可能となる。尚、第１表示手段においては、第１基板における第１発光層が形成されていない側の表面が第２表示手段に対面するように接着してもよいし、第１基板における第１発光層が形成されている側の表面が第２表示手段に対面するように接着してもよい。
【００２８】
これにより、立体表示に適した所定の間隔で配置された二つの表示手段に立体表示用の画像を適切に表示することが可能となり、観察者は好適に立体感のある画像を視覚することが可能となる。
【００２９】
加えて、三つ以上の表示手段を有する表示装置においても、全ての隣り合う二つの表示手段の基板の厚さ、並びに全ての隣り合う二つの表示手段の夫々の間を充填している夫々の接着手段の厚さを適切な厚さにすることで、全ての隣り合う二つの表示手段が立体表示に適した所定の間隔を隔てて配置された立体表示用の表示装置を実現することが可能である。
【００３０】
尚、上述の如き態様でなくとも、第１表示手段及び第２表示手段の夫々の画面が、立体表示に適した所望の間隔に配置されるように、接着手段が二つの表示手段の夫々の間を充填し、相互に接着することで、観察者は立体感のある画像を視覚することが可能である。
【００３１】
上述の如く第２基板における第２発光層が形成されていない側の表面が第１表示手段に対面する表示装置の態様では、前記第１基板は光透過性を有しており、前記接着手段は、前記第１基板における前記第１発光層が形成されていない側の表面が前記第２基板における前記第２発光層が形成されていない側の表面に対面するように、前記第１及び第２表示手段を接着するように構成してもよい。
【００３２】
このように構成すれば、第１基板、第２基板及び接着手段の夫々の厚みの合計に相当する距離だけ、第１発光層及び第２発光層間の距離を離すことが可能となる。従って、第１基板、第２基板及び接着手段の夫々の厚さを所定の厚みにすることで、第１表示手段及び第２表示手段を、立体表示に適した所定の間隔を隔てて配置することが可能となる。
【００３３】
又、基板同士を接着する形態であるため、接着手段による二つの表示手段の接着を比較的容易に行うことが可能となる。即ち、例えばガラス等を含んでなる第１基板及び第２基板を、例えば光学接着剤等を含んでなる接着手段により接着するのみで、比較的容易に本発明の表示装置に係る第１実施形態を実現可能である。このため、本発明の表示装置に係る第１実施形態を、比較的容易に生産することが可能という実践上大きな利点を有する。
【００３４】
上述の如く表示手段が基板と発光層とを含んでなる表示装置の態様では、前記接着手段の屈折率は、前記第１基板及び第２基板のうち少なくとも一方の基板の屈折率と相等しいように構成してもよい。
【００３５】
このように構成すれば、所定の屈折率を有する接着手段により、接着手段と基板との間の境界面における屈折率の相違から生じ得る光の反射を効果的に防止することが可能となる。従って、表示手段より発せられた光をそのまま観察者に視覚させることが可能となる。
【００３６】
例えば、上述の如く第１及び第２基板の夫々の発光層が形成されていない表面が対面する表示装置の態様において、接着手段の屈折率と第２基板の屈折率とが相等しい場合、第１発光層から発せられた光の、接着手段と第２基板との境界面における反射を低減或いは防止することが可能である。これに加えて或いは代えて、接着手段の屈折率と第１基板の屈折率とが相等しい場合、接着手段と第１基板との間の境界面において生じ得る光の反射を低減或いは防止することが可能となる。
【００３７】
これにより、光の反射により生ずる画像の輝度、明度或いは光量等の変化を効果的に低減或いは防止することが可能となる。従って、画像の輝度、明度或いは光量が同一の画像を重ねて表示することが可能となり、その結果、観察者は立体感のある画像を視覚することが可能となる。
【００３８】
ここに、本発明に係る屈折率が「相等しい」とは、文字通り屈折率の値が相互に等しい状態を示すのみならず、観察者に立体感のある画像を視覚させることが可能な程度の接着手段、第１基板及び第２基板の夫々の屈折率の関係をも含んだ趣旨である。即ち、屈折率が完全に同一でなくとも、ある程度の近似性を有していれば、接着手段、第１基板及び第２基板の境界面において生じ得る光の反射が、適切な画像を視覚するのに問題のない程度にしか発生しない。このため、観察者は立体的な画像を視覚することが可能となる。
【００３９】
本発明の表示装置に係る第１実施形態の他の態様では、前記接着手段は、光学接着剤である。
【００４０】
この態様によれば、取り扱いの比較的容易な光学接着剤により、比較的容易に二つの表示手段の間の空気層を取り除き、且つ二つの表示手段を相互に接着することが可能となる。更に、光学接着剤の屈折率、熱耐性或いは湿耐性等を考慮して、表示装置の使用態様に応じて、最適な或いは所望の種類の光学接着剤を用いて二つの表示手段を接着することが可能となる。
【００４１】
尚、光学接着剤としては、例えばエポキシ系の光学接着剤であってもよいし、アクリレート系の光学接着剤であってもよいし、それ以外の光学接着剤であってもよい。また、それらの硬化は、例えば、光硬化、熱硬化等によって行われる。これらの比較的入手或いは取り扱いが容易な各種光学接着剤を、本発明の表示装置に係る第１実施形態の使用態様に応じて適宜選択することが可能である。
【００４２】
又、光学接着剤に加えて或いは代えて所定の屈折率を有する透明部材を用いて、二つの表示手段の間を充填することで空気の層を取り除き、二つの表示手段を相互に接着する形態であっても同様の効果を得ることが可能である。
【００４３】
本発明の表示装置に係る第２実施形態は、第１基板及び該第１基板上に形成されており且つ第１画像を表示するための光を発する第１発光層を備えた第１表示手段と、前記第１基板に対向配置されており且つ光透過性を有する第２基板及び該第２基板上に形成されており且つ前記第１画像に重なる第２画像を表示するための光を発する第２発光層を備えた第２表示手段とを備え、前記第１及び第２発光層が観察者の視線上で前記第２基板を含む空間を隔てて相前後して配置されるように、前記第２基板における前記第２発光層が形成されていない側の表面が前記第１表示手段に接合されている。
【００４４】
本発明の表示装置に係る第２実施形態によれば、その動作時には、上述した本発明の表示装置に係る第１実施形態と同様に立体表示が可能である。即ち、第１表示手段が表示する第１画像と第２表示手段が表示する第２画像とを、適切に輝度調整された状態で、観察者の視線上において重ねて表示することで、観察者に立体感のある画像を視覚させることが可能となる。
【００４５】
第２実施形態では特に、二つの表示手段を直接接合する態様をとることが可能となり、比較的容易に本発明の第１実施形態に係る表示装置と同様の効果を実現可能となる。例えば、第２表示手段と接合する第１表示手段の表面の形状に応じて、予め当該形状と適切に接合する或いは噛み合う形状を有する第２基板を作成することで、特別な手段を必要とすることなく二つの表示手段を適切に接合可能となる。例えば、圧着或いは熱圧着や熱処理等によって表面同士を直接接合すれば、接着剤は不要となる。
【００４６】
更に、第１実施形態のように、第１表示手段及び第２表示手段の間に接着手段を介在させることなく接合されているため、二つの表示手段間における境界面を少なくすることが可能となる。即ち、第１表示手段と第２表示手段との境界面を考慮するのみで、光の反射を低減或いは防止することが可能となる。例えば、第１表示手段の第１基板と、第２表示手段の第２基板層とに、同一屈折率を有する同一の材質よる基板を用いることで、比較的容易に第１実施形態と同様に境界面における光の反射を低減或いは防止することが可能となる。
【００４７】
又、第２基板の厚さを利用して第２基板の厚みに相当する距離だけ、第１発光層及び第２発光層（即ち、第１画像及び第２画像）を隔てることが可能となる。即ち、第２基板の厚さを所定の厚みにすることで、第１表示手段及び第２表示手段を、立体表示に適した所望の間隔を隔てて配置することが可能となる。尚、第１表示手段においては、第１基板における第１発光層が形成されていない側の表面が第２表示手段に対面するように接合されていてもよいし、第１基板における第１発光層が形成されている側の表面が第２表示手段に対面するように接合されていてもよい。
【００４８】
これにより、立体表示に適した間隔で配置された二つの表示手段に立体表示用の画像を適切に表示することが可能となり、観察者は好適に立体感のある画像を視覚することが可能となる。
【００４９】
加えて、三つ以上の表示手段を有する表示装置においても、全ての隣り合う二つの表示手段の基板の厚さを適切な厚さにすることで、全ての隣り合う二つの表示手段が立体表示に適した所望の間隔を隔てて配置された立体表示用の表示装置を実現することが可能である。
【００５０】
尚、上述の如き態様でなくとも、二つの表示手段の夫々が表示する画像が、所望の距離を隔てて観察者に視覚されるように、二つの表示手段が接合されていれば、観察者は立体感のある画像を視覚することが可能である。
【００５１】
本発明の表示装置に係る第２実施形態の一の態様では、前記第１基板は、光透過性を有し、前記第２基板における前記第２発光層が形成されていない側の表面が前記第１基板における前記第１発光層が形成されていない側の表面に接合されている。
【００５２】
この態様によれば、第１基板の厚みと第２基板の厚みの合計の厚みに相当する距離だけ、第１発光層及び第２発光層を隔てることが可能となる。従って、第１基板及び第２基板の夫々の厚さを所定の厚みにすることで、第１表示手段及び第２表示手段を、立体表示に適した所望の間隔を隔てて配置することが可能となる。この場合、第１基板は、例えばガラス或いは樹脂等を含んで構成されており、光透過性を有している。
【００５３】
又、第１基板及び第２基板が相互に対面する表面が、均一な平面或いは相互に噛み合う形状であれば、適切に且つ容易に第１表示手段と第２表示手段とを接合することが可能である。このため、本発明の表示装置にかかる第１実施形態を、比較的容易に生産することが可能という実践上大きな利点を有する。但し、第１基板及び第２基板の表面が適切に噛み合う形状でなくとも、例えば光学接着剤等を用いることで、第１表示手段と第２表示手段とを適切に且つ容易に接合することが可能である。
【００５４】
本発明の表示装置に係る第１又は第２実施形態の他の態様では、前記第１基板の屈折率は、前記第２基板の屈折率よりも相対的に大きい。
【００５５】
本実施形態に係る第２表示手段は光透過性を有しているため、第２表示手段から発せられた光は、観察者の側のみならず観察者の側とは反対の側へも伝搬する場合がある。このため、第２表示手段から発せられる光の一部が観察者に視覚されることなく、その結果、発せられる光の全てを有効に利用することが困難或いは不可能である場合が生じ得る。
【００５６】
しかるにこの態様によれば、観察者の側とは反対の側へ伝搬する光を、その伝搬する経路の途中において反射させ、観察者の側へ伝搬させることが可能となる。
【００５７】
具体的には、例えば第１基板のうち第１発光層が形成されていない表面と、第２基板のうち第２発光層が形成されていない表面とが相互に対面するように、第１表示手段と第２表示手段とが配置されて構成されているとする。ここで、第１基板の屈折率は第２基板の屈折率よりも相対的に大きいため、第２表示手段により発せられる光のうち、観察者の側とは反対の側へ伝搬する光は、例えば第２基板を透過して、第１基板へと伝搬することとなる。この場合、屈折率が相対的に小さい媒質から屈折率が相対的に大きい媒質への光の入射に該当するため、光はその境界面において反射することとなる。即ち、第１基板の表面において光が反射することとなり、その光は観察者の側へ伝搬する。その結果、第２表示手段から発せられた光は、観察者の側へ適切に伝搬することとなる。従って、第２表示手段から発せられた光を有効に利用することが可能となる。
【００５８】
又、第１表示手段と第２表示手段とが接着手段により接着されている形態であっても、接着手段の屈折率を、第１基板及び第２基板の何れか一方の屈折率と相等しくすることで、上述の如く第２表示手段から発せられた光のうち、観察者の側とは反対の側へ伝搬する光を、その伝搬する経路の途中において反射させ、観察者の側へ伝搬させることが可能となる。即ち、第２表示手段から発せられた光を有効に利用することが可能である。
【００５９】
従って、何れの場合においても、第２表示手段から発せられる光は全て観察者の側へ伝搬することとなり、発せられる光をより有効に利用することが可能となる。
【００６０】
更に、第１表示手段から発せられ、観察者の側へ伝搬する光は、相対的に屈折率の大きい第１基板を透過して、相対的に屈折率の小さい第２基板に入射するため、その境界面における光の反射を防止することが可能となる。これにより、反射による光の減衰を防ぎ、第１表示手段の発光層から発せられる光を有効に利用することが可能となる。
【００６１】
以上の結果、第１基板の屈折率を第２基板の屈折率よりも相対的に大きくすることで、第２表示手段から発せられる光を有効に利用可能となる。更に、第１表示手段から発せられる光においても、境界面での反射を防ぎ、光の減衰を抑えることで有効に利用することが可能となる。これにより、第１表示手段及び第２表示手段の夫々から発せられる光を無駄にすることなく有効に利用し、画像を表示することが可能となる。
【００６２】
尚、上述の如く基板のうち発光層が形成されていない表面同士が接着或いは接合されていなくとも、相応に第１表示手段及び第２表示手段の夫々から発せられる光を有効に利用することが可能である。
【００６３】
本発明の表示装置に係る第１又は第２実施形態の他の態様では、前記第１基板及び前記第２基板のうち少なくとも一方は、ガラス及びプラスティックのうち少なくとも一方を含んでなる
この態様によれば、第１基板或いは第２基板の少なくとも一方は、ガラス及びプラスティックのうち少なくとも一方を含んで構成されているため、光透過性を有した基板を、比較的容易に用いることが可能となる。
【００６４】
更に、ガラス及びプラスティックの混合物を基板として用い、且つその混合比率を任意に調整することで、基板の屈折率を所望の値に任意に変化させることが可能となる。従って、第１基板、第２基板及び接着手段の夫々の屈折率が上述の如き所定の関係を満たすように、比較的容易に、第１基板及び第２基板の屈折率を所望の値に調整することが可能となる。
【００６５】
本発明の表示装置に係る第１又は第２実施形態の他の態様では、前記第１表示手段及び前記第２表示手段は、前記第１表示手段及び前記第２表示手段の夫々の画素ごとに対応して前記観察者の視線上で重ねられている。
【００６６】
この態様によれば、第１表示手段及び第２表示手段の夫々が表示する画像は、画素単位で適切に重なるように表示可能である。即ち、観察者は、画素単位で適切に重なるように調整された立体表示用の画像を視覚することが可能となる。従って、より好適に立体感のある画像を視覚することが可能となる。
【００６７】
尚、第１表示手段の夫々の画素の大きさと、第２表示手段の夫々の画素の大きさは相等しいものであることが好ましい。但し、相等しくなくても、観察者に適切に重なった画像を視覚させることは可能である。又、観察者から見て遠くに位置する第１表示手段の画素サイズを、近くに位置する第１表示手段より多少大きく設定することで、見た目の画素サイズを揃えること等も可能である。
【００６８】
本発明の表示装置に係る第１又は第２実施形態の他の態様では、前記第２表示手段は、有機エレクトロルミネッセンス表示デバイスである。
【００６９】
この態様によれば、有機ＥＬ表示デバイスによるパネル状の半透明の表示手段によって構成される第２表示手段を用いて、立体表示が可能となる。
【００７０】
尚、有機ＥＬ表示デバイスは、ボトムエミッション（Ｂｏｔｔｏｍ  Ｅｍｉｓｓｉｏｎ）方式であってもよく、トップエミッション（Ｔｏｐ  Ｅｍｉｓｓｉｏｎ）方式であってもよいし、或いはトランスペアレント（Ｔｒａｎｓｐａｒｅｎｔ）方式であってもよい。ここに、「ボトムエミッション方式」とは、例えば後述の有機ＥＬ発光層から発せられた光が、例えば後述のＩＴＯ電極側（即ち、基板側）へ伝搬する態様の有機ＥＬ表示デバイスであり、「トップエミッション方式」とは、例えば後述の有機ＥＬ発光層から出射した光が、例えば後述の陰極側（即ち、基板側とは反対の側）へ伝搬する態様の有機ＥＬ表示デバイスであり、「トランスペアレント方式」、例えば後述の有機ＥＬ発光層から出射した光が、例えば後述の陰極側或いはＩＴＯ電極側の何れの側にも伝搬する態様の有機ＥＬ表示デバイスである。又、アクティブマトリックス（Ａｃｔｉｖｅ  Ｍａｔｒｉｘ）型駆動方式であってもよいし、パッシブマトリックス（Ｐａｓｓｉｖｅ  Ｍａｔｒｉｘ）型駆動方式であってもよい。
【００７１】
上述の如き何れの方式を採用する有機ＥＬ表示デバイスによっても、上述の本発明の表示装置に係る第１又は第２実施形態と同様の効果を得ることが可能となる。
【００７２】
尚、第１表示手段は半透明の表示手段であってもよいし、光を透過する必要がないため、例えばＣＲＴ（Ｃａｔｈｏｄｅ  Ｒａｙ  Ｔｕｂｅ）、液晶表示ディスプレイ、ＦＥＤ（Ｆｉｅｌｄ  Ｅｍｉｓｓｉｏｎ  Ｄｉｓｐｌａｙ）或いはプラズマディスプレイ等の半透明でない表示手段であってもよい。
【００７３】
又、三つ以上の表示手段を有する表示装置の態様をとる場合には、観察者の側から見て最も後方に配置される表示手段を除く表示手段は、例えば有機ＥＬ表示デバイスからなる半透明の表示手段である必要がある。観察者の側から見て最も後方に配置される表示手段は、半透明な表示手段であってもよいし、半透明でない表示手段であってもよい。
【００７４】
上述の如く、第２表示手段が有機エレクトロルミネッセンス表示デバイスである表示装置の態様では、前記第２基板は、ポリマーフィルムを含んでなるように構成してもよい。
【００７５】
このように構成すれば、例えばポリカーボネート或いはポリエチレンテレフタレート等を含んでなるポリマーフィルムを含んでなる第２基板を用いることで、自由に折り曲げることが可能でフレキシブルな、シート状の第２表示手段を構成することが可能となる。
【００７６】
これにより、更なる表示装置の小型化をはかることが可能となり、例えば携帯電話或いはＰＤＡ（Ｐｅｒｓｏｎａｌ  Ｄｉｇｉｔａｌ  Ａｓｓｉｓｔａｎｃｅ）といった小型化或いは携帯性が要求される表示装置に適した表示装置を構成することが可能となる。
【００７７】
加えて、第１表示手段においても、ポリマーフィルムを含んでなる第１基板を有する有機ＥＬ表示デバイスを用いることで、自由に折り曲げることが可能でフレキシブルな立体表示用の表示装置を実現可能である。これにより、更に携帯性に優れた表示装置を実現可能である。
【００７８】
本発明のこのような作用及び他の利得は、次に説明する実施例から更に明らかにされよう。
【００７９】
以上、本発明の表示装置に係る第１実施形態によれば、第１表示手段と第２表示手段と接着手段とを有する。又、本発明の表示装置に係る第２実施形態によれば、相互に接合された第１表示手段と第２表示手段とを有する。このため、第１表示手段から発せられた光の反射を低減或いは防止可能となり、第１表示手段に表示される画像の輝度、明度或いは光量等を変化させることなく、当該画像本来の輝度、明度或いは光量等をもって観察者に視覚させることが可能となる。その結果、観察者は、より好適な立体感のある画像を視覚することが可能となる。又、本発明の表示装置に係る第１及び第２実施形態によれば、動画或いは静止画にかかわらず、同様の効果、即ち、観察者は、立体的な画像を視覚することが可能となる。
【００８０】
【実施例】
以下、図面を参照して本発明の表示装置に係る実施例について説明する。
【００８１】
（表示装置の基本構成）
図１を参照して、本発明の実施例に係る表示装置の基本構成について説明する。ここに、図１は、本発明の実施例に係る表示装置１の構成を示すブロック図である。
【００８２】
図１に示すように表示装置１は、本発明に係る「第２表示手段」の一例たる前画面１１と、前画面１１の後方に配置された、本発明に係る「第１表示手段」の一例たる後画面１２と、前画面１１及び後画面１２に表示する画像を発生する画像発生部１４と、画像発生部１４からの画像信号を前画面１１に表示する第一駆動部１５と、画像発生部１４からの画像信号を後画面１２に表示する第二駆動部１６と、前画面１１及び後画面１２を接着する接着層２１と、表示装置１の全体制御を行う制御部１７とを備えて構成されている。
【００８３】
前画面１１及び後画面１２は、表示装置１の画像表示部を形成し、観察者からの視線Ｌに対して、接着層２１により定められる所定の間隔を有して相前後して配置されている。前画面１１は、発光層１１１及び基板１１２から構成されており、後画面１２は、発光層１２１及び基板１２２から構成されている。発光層１１１及び発光層１２１は、実際に光を発するものであり、画像を表示する。基板１１２及び基板１２２は、例えばガラス或いはプラスティックを含んで構成されており、発光層１１１及び発光層１２１を保護し固定するものである。前画面１１の基板１１２の屈折率は、後画面１２の基板層１２２の屈折率よりも相対的に小さい。又、基板１１１及び基板１２１のうち少なくとも一方は、例えばレンズ機能或いは色変換機能等の各種画像変換機能を有していてもよい。
【００８４】
前画面１１は、前方に配置され、後画面１２は後方に配置されている。前画面１１は、後方にある後画面１２の画像を透過して観察者が視覚することが可能となるために、光透過性を必要とし、例えば有機ＥＬ表示デバイスが用いられる。他方、後方に配置される後画面１２は、有機ＥＬ表示デバイスであっても良く、又、光透過性の必要はないのでＣＲＴ（Ｃａｔｈｏｄｅ  Ｒａｙ  Ｔｕｂｅ）や液晶表示デバイス、ＦＥＤ（Ｆｉｅｌｄ  Ｅｍｉｓｓｉｏｎ  Ｄｉｓｐｌａｙ）或いはプラズマ表示デバイスであってもよい。
【００８５】
これら前画面１１及び後画面１２の夫々に画像を表示することで、離散的ではあるが、観察者は立体的な画像を認識することが可能となる。更に、その輝度を増減することで前画面１１及び後画面１２の間に画像があるかのごとく、立体的な画像を表示することが可能である。即ち、輝度変調方式の立体表示も可能である。
【００８６】
又、発光層１１１及び１２１が立体表示に適した所望の間隔を隔てて配置されるように、基板１１２及び１２２並びに接着層２１の夫々の厚さは所定の厚さに調整されている。
【００８７】
画像発生部１４は、前画面１１及び後画面１２に表示される画像を発生し、記憶している。又、外部から入力される画像、例えばパソコン等で作成された画像を所定の記録エリアに記録しておき、必要に応じて読み出すようにしてもよい。単位としての画像は夫々個別に管理されていて、独立して表示のための処理が可能である。前画面１１及び後画面１２の何れに表示させるかは勿論、例えば表示の位置、大きさ、明るさ、色相、表示形態、画像変形等についても個別に制御可能である。
【００８８】
第一駆動部１５及び第二駆動部１６は、前画面１１及び後画面１２を夫々表示駆動するためのものであり、画像発生部１４で形成された前画面１１又は後画面１２用の画像信号に基づいて表示駆動する。制御部１７の制御に基づいて、表示のタイミングや点滅等の装飾的で効果的な駆動を行う機能を持たせても良い。
【００８９】
制御部１７は、表示装置１の全体的な制御を行う。立体的な画像の表示に関しては、前画面１１及び後画面１２の表示形態、例えば輝度や大きさ等を設定し、画像発生部１４に対して夫々に表示させる画像信号を発生させる。又、第一駆動部１５及び第二駆動部１６の動作を制御する。
【００９０】
本実施例では特に、接着層２１は、前画面１１及び後画面１２に表示される画像が、観察者の視線Ｌ上において適切に重ねて表示されるように、前画面１１及び後画面１２を接着し、固定するものである。後画面１２から発せられた光は、当該接着層２１及び前画面１１を透過して、観察者に視覚されることとなる。又、該接着層２１、前画面１１の基板層１１２ａ及び後画面１２の基板層１２２の厚さにより、前画面１１及び後画面１２（この場合、前画面１１の発光層１１１及び後画面１２の発光層１２１）は、立体表示に適した所定の間隔に固定されている。
【００９１】
接着層２１は、前画面１１及び後画面１２を直接貼り合わせる光学接着剤が用いられる。尚、直接貼り合わせなくとも、例えばガラス或いは樹脂等を含む所定の屈折率を有する透明部材を介して、前画面１１及び後画面１２を接着してもよい。いずれにせよ、接着層２１の屈折率は、基板１１２及び基板１２２のいずれか一方の屈折率と相等しいことが好ましい。
【００９２】
この接着層２１により、後述するように、立体表示に適した表示装置を実現することが可能となる。
【００９３】
（表示装置の動作原理）
次に、図２及び図３を参照して、本発明の実施例に係る表示装置の動作原理について説明する。ここに、図２は、本実施例の表示装置における光の伝搬経路を模式的に示す断面図であり、図３は、本実施例の表示装置に対する比較例を模式的に示す断面図である。尚、図２及び図３においては、前画面１１及び後画面１２の一例として、有機ＥＬ表示デバイスを用いて説明する。尚、図２及び図３においては、図１に示した各構成要素のうち、前画面１１、後画面１２及び接着層２１のみを抜き出して説明することとする。
【００９４】
図２に示すように、本実施例に係る表示装置２が構成されている。前画面１１ａには、有機ＥＬ発光層１１１ａと、基板１１２ａを備えた光透過性を有するトランスペアレント方式の有機ＥＬ表示デバイスを用いており、後画面１２ａには、有機ＥＬ発光層１２１ａと、基板１２２ａとを備えた光透過性を有さないボトムエミッション方式の有機ＥＬ表示デバイスを用いている。光透過性を有さない後画面１２ａは、有機ＥＬ発光層１２１ａより発せられた光を、観察者の側へ反射可能な、例えば後述する金属電極（図４参照）を備えて構成されている。
【００９５】
又、前画面１１ａ及び後画面１２ａは、接着層２１たる光透過性を有する光学接着剤２１ａにより貼り合わされている。光学接着剤２１ａを介して後画面１２ａの光は、前画面１１ａへ伝搬する。光学接着剤２１ａは、例えばエポキシ系の光学接着剤であってもよいし、アクリレート系の光学接着剤であってもよいし、その他の光学接着剤であってもよい。
【００９６】
前画面１１ａの基板１１２ａの屈折率は、後画面１２ａの基板１２２ａの屈折率よりも相対的に小さく、二つの基板に挟まれた光学接着剤２１ａの屈折率は、基板１１２ａ或いは基板１２２ａのどちらか一方の屈折率と相等しい。又、前画面１１ａ及び後画面１２ａに用いられる有機ＥＬ表示デバイスは、例えばアクティブマトリックス（Ａｃｔｉｖｅ  Ｍａｔｒｉｘ）型駆動方式でもよいし、パッシブマトリックス（Ｐａｓｓｉｖｅ  Ｍａｔｒｉｘ）型駆動方式であってもよい。
【００９７】
ここで例えば、光学接着剤２１ａの屈折率が基板１２２ａの屈折率と相等しいとする。後画面１２ａは光透過性を有しておらず、有機ＥＬ発光層１２１ａから発せられた光は、観察者の側へ伝搬する光と、観察者とは反対の側へ伝搬する光とに分かれる。具体的には、有機ＥＬ発光層１２１ａから発せられた光の５０％が観察者の側へ伝搬し、残り５０％の光が観察者と反対の側へ伝搬する。観察者の側へ伝搬する光は、基板１２２ａ、光学接着剤２１ａ及び基板１１２ａを介して観察者の側へ伝搬する。一方、観察者と反対の側へ伝搬する光は、例えば後述の金属電極（図４参照）により反射され、基板１２２ａ、光学接着剤２１ａ及び基板１１２ａを介して観察者の側へ伝搬することとなる。
【００９８】
この場合、基板１２２ａと光学接着剤２１ａとの境界面では、基板１２２ａの屈折率と光学接着剤２１ａの屈折率が等しいため反射は起こらない。又、光学接着剤２１ａと基板１２１ａとの境界面では、光学接着剤２１ａの屈折率が基板１２１ａの屈折率よりも大きいため光の反射は起こらない。即ち、基板１２２ａ、光学接着剤２１ａ及び基板１１２ａを伝搬する間に光は若干減衰することとなるが、有機ＥＬ発光層１２１ａから二方向に発せられる光を無駄にすることなく、共に有効に利用することが可能となる。従って、有機ＥＬ発光層１２１ａから発せられた光は、その光が発せられた状態と同程度の輝度、明度或いは光量によって観察者に視覚されることとなる。
【００９９】
一方、前画面１１ａは光透過性を有しており、有機ＥＬ発光層１１１ａから発せられた光は、観察者の側へ伝搬する光と、後画面１２ａの側へ伝搬する光とに分かれる。具体的には、有機ＥＬ発光層１２１ａから発せられた光の５０％が観察者の側へ伝搬し、残り５０％の光が観察者と反対の側へ伝搬する。観察者の側へ伝搬する光は、そのまま観察者の側へ伝搬し、観察者に視覚される。一方、観察者と反対の側へ伝搬する光は、基板１１２ａを介して光学接着剤２１ａに入射する。
【０１００】
ここで、基板１１２ａの屈折率は光学接着剤２１ａの屈折率よりも小さいため、光学接着剤２１ａに入射する光は、その境界面において反射することとなる。入射する光の光学接着剤２１ａへの入射角が９０度であるとすると、反射する光は入射する光と同様の光路を伝搬することとなる。即ち、基板１１２ａを介して、観察者の側へ伝搬する。この場合、有機ＥＬ発光層１１１ａを構成する複数の画素の夫々が発する光は、当該光を発した画素に向かって反射する。従って、光学接着剤２１ａにおける反射により、基板１１２ａを伝搬する間に光は若干減衰することとなるが、有機ＥＬ発光層１１１ａから二方向に発せられる光を無駄にすることなく、共に有効に利用することが可能となる。従って、有機ＥＬ発光層１１１ａから発せられた光は、その光が発せられた状態と同程度の輝度、明度或いは光量等によって観察者に視覚されることとなる。
【０１０１】
従って、前画面１１ａ及び後画面１２ａは、有機ＥＬ発光層１１１ａ及び有機ＥＬ発光層１２１ａから発せられる光を有効に利用して、画像を表示することが可能である。
【０１０２】
尚、図３に示すように、本実施例に係る表示装置２の比較例として、本実施例の構成において接着層２１を備えないで、二つの表示手段を所定間隔で固定してなる表示装置について説明する。比較例の表示装置は、前画面１１ａ及び後画面１２ａを光学接着剤２１ａによって接着することなく、空間上に相前後して配置している（即ち、前画面１１ａ及び後画面１２ａの間が空気で満たされている）。この場合、後画面１２ａの有機ＥＬ発光層１２１ａより発せられた光は、基板１２２ａを介して空気の層を伝搬し、前画面１１ａの基板１１２ａへ入射する。ここで、空気の層の屈折率は、例えばガラス等を含んで構成される基板１１２ａの屈折率よりも相対的に小さいため、その境界面で基板１１２ａに入射する光の一部が反射し、残りの一部の光のみが基板１１２ａを伝搬し、観察者に視覚されることとなる。従って、有機ＥＬ発光層１２１ａから発せられた光は、その光が発せられた状態とは異なる輝度、明度或いは光量によって観察者に視覚される。このため、比較例によれば、観察者は、前画面１１ａ及び後画面１２ａに表示される画像を適切な輝度に調整された状態で視覚することができず、立体感のある画像を視覚することが困難或いは不可能である。
【０１０３】
しかるに、図２に示す本実施例に係る表示装置２によれば、比較例に係る表示装置において見られた、基板における光の反射を防ぐことが可能であるという大きな利点を有する。更に、観察者と反対の側へ放射される光を観察者の側へ反射させ、当該光を有効に利用可能という大きな利点も有する。従って、観察者は、前画面１１ａ及び後画面１２ａに表示される画像を適切な輝度に調整された状態で視覚することができ、その結果、立体感のある画像を視覚することが可能となる。
【０１０４】
以上説明したように、本実施例に係る表示装置２は、光学接着剤２１ａにより前画面１１ａ及び後画面１２ａを貼り合わせることによって、前画面１１ａ及び後画面１２ａから発せられる光を無駄にすることなく、有効に利用することが可能となる。加えて、基板における光の反射を防ぐことで、特に後画面１２ａに表示される画像の輝度、明度或いは光量等の画像特性を変化させることなく、観察者に視覚させることが可能となる。従って、本実施例に係る表示装置２は、立体感のある画像を表示する表示装置として、極めて優れた効果を有するものである。本実施例の如き輝度変調型の表示装置２では特に、このような反射による輝度の変化分を勘案して各画面における輝度を決めないでもよいことは、立体表示を適切に行うための設定を容易にするという観点から非常に優れている。
【０１０５】
尚、図２に示した発光層１１１ａ（１２１ａ）、基板１１２ａ（１２２ａ）及び光学接着剤２１ａの大きさは、説明の便宜上の大きさであって、実際の本実施例に係る表示装置に用いられる場合の大きさの関係を示すものではない。例えば、光学接着剤２１ａは、極めて薄い膜状の形態であってもよいし、所定の厚さを持つ形態であってもよい。
【０１０６】
（表示装置の具体例）
次に図４から図６を参照して、本発明の実施例に係る表示装置のより具体的な例を説明する。ここに、図４は透明ガラス封止缶により有機ＥＬ表示デバイスを保護している場合の表示装置の一の具体例を示す模式図であり、図５は、透明ガラス封止缶に代えて、透明封止膜により有機ＥＬ表示デバイスを保護している場合の表示装置の具体例を示す模式図であり、図６は、後画面１２に、トップエミッション方式の有機ＥＬ表示デバイスを用いた表示装置の具体例を示す模式図である。尚、図４から図６において、図１に示した構成要素のうち、前画面１１、後画面１２及び接着層２１のみを抜き出して説明することとする。
【０１０７】
図４に示すように、本実施例に係る表示装置３は構成されている。即ち、前画面１１ｂは、有機ＥＬ発光層１１１ｂと、基板１１２ｂと、ＩＴＯ（Ｉｎｄｉｕｍ  Ｔｉｎ  Ｏｘｉｄｅ：インジウム・スズ・オキサイド）電極（陽極）１１３と、透明電極（陰極）１１４と、絶縁膜１１５と、陰極隔壁１１６と、透明ガラス封止缶１１７とを備えて構成されている。又、後画面１２ｂは、有機ＥＬ発光層１２１ｂと、基板１２２ｂと、ＩＴＯ電極（陽極）１２３と、金属電極（陰極）１２４と、絶縁膜１２５と、陰極隔壁１２６と、透明ガラス封止缶１２７とを備えて構成されている。
【０１０８】
有機ＥＬ発光層１１１ｂ（１２１ｂ）は、何れも図示しない、正孔注入層、正孔輸送層、発光層、電子輸送層及び電子注入層を含んで構成されている。正孔注入層は、例えばＣｕＰｃ（銅フタロシアニン）により、正孔輸送層は、例えばＮＰＢ（Ｎ，Ｎ−ｄｉ（ｎａｐｈｔｈａｌｅｎｅ−１−ｙｌ）−Ｎ，Ｎ−ｄｉｐｈｅｎｙｌ−ｂｅｎｚｉｄｅｎｅ）により、発光層は、例えばＡｌｑ３（トリス（８−ヒドロキシキノリン）アルミニウム）により、電子輸送層は、例えばＢＣＰ（バソキュプロイン又はバトクプロイン：ｂａｔｈｏｃｕｐｒｏｉｎｅ）により、電子注入層は、例えばＬｉＦ（フッ化リチウム）により、それぞれ形成されている。当該有機ＥＬ発光層１１１ｂ（１２１ｂ）が前画面１１ｂ及び後画面１２ｂの一つの画素を形成することとなる。尚、有機ＥＬ発光層１１１ｂ（１２１ｂ）の夫々は、相等しい大きさであってもよい。
【０１０９】
基板１１２ｂ（１２２ｂ）は、有機ＥＬ発光層１１１ｂ（１２１ｂ）を保護し、支持するためのものであり、例えばガラス基板を含んでなる。又、ガラス基板に代えてポリマーフィルムを基板として用いてもよい。尚、基板１１２ｂの屈折率は、基板１２２ｂの屈折率よりも小さい。但し、基板１１２ｂの屈折率が、基板１２２ｂの屈折率よりも小さくなくとも、観察者は、相応の立体感のある画像を視覚することは可能である。尚、基板１１２ｂ及び基板１２２ｂのうちいずれか一方の屈折率は、接着層２１の屈折率と等しい。
【０１１０】
ＩＴＯ電極１１３（１２３）は、光透過性を有するアノード電極である。又、アノード電極として、透明なＩＴＯ電極に代えて、やはり透明なＩＺＯ（Ｉｎｄｉｕｍ  Ｚｉｎｃ  Ｏｘｉｄｅ：インジウム・亜鉛・オキサイド）電極を用いてもよい。図４に示す表示装置３の場合、ＩＴＯ電極１１３の屈折率は、基板層１１２ｂの屈折率と等しく、又、ＩＴＯ電極１２３の屈折率は、基板層１２２ｂの屈折率と等しいことが好ましい。
【０１１１】
透明電極１１４は、例えばＩＺＯを含んでなる光透過性を有するカソード電極である。又、透明電極１１４は、ＩＴＯを含む電極或いは薄膜状の金属電極であってもよい。
【０１１２】
金属電極１２４は、例えばアルミニウムにより形成され、有機ＥＬ発光層１２１ｂから発せられた光を、基板側へ反射する。
【０１１３】
絶縁膜１１５（１２５）は、電流リークを抑えるためのものであり、例えばポリイミドによって、有機ＥＬ発光層１１１ｂ（１２１ｂ）が形成される位置以外の基板上に形成されている。
【０１１４】
陰極隔壁１１６（１２６）は、陰極（即ち、金属電極１２４或いは透明電極１１４）形成の際に、任意の形状にパターニングするために、陰極が形成される部分を除いて絶縁膜１１５（１２５）の上に形成される。
【０１１５】
透明ガラス封止缶１１７（１２７）は、上述の構成要素を、外部の影響から保護するためのものである。或いは、後述するように、透明ガラス封止缶に加えて或いは代えて、透明封止膜を用いてもよい。
【０１１６】
前画面１１ｂ及び後画面１２ｂは、例えば光学接着剤を含んでなる接着層２１によって、基板１１２ｂと基板１２２ｂとが接着された状態で、重ね合わせられている。この場合、前画面１１ｂの有機ＥＬ発光層１１１ｂの配列と、後画面１２ｂの有機ＥＬ発光層１２１ｂの配列が相互に一致するように、即ち画素単位で前画面１１ｂ及び後画面１２ｂが重ね合わせられるように、例えば光学顕微鏡等を用いることにより位置合わせがなされ、両基板が接着されている。
【０１１７】
前画面１１ｂの有機ＥＬ発光層１１１ｂから発せられた光は、観察者の側（即ち、透明電極１１４の側）へ伝搬する光と、観察者と反対の側（即ち、ＩＴＯ基板１１３の側）へ伝搬する光との二方向へ伝搬する光が存在するが、観察者と反対の側へ伝搬する光は、上述したように、基板１１２ｂと接着層２１との境界面或いは基板１２２ｂと接着層２１との境界面において反射し、観察者の側へ伝搬することとなる。
【０１１８】
一方、後画面１２ｂの有機ＥＬ発光層１２１ｂから発せられた光も同様に二方向へ伝搬する光が存在するが、観察者と反対の側へ伝搬する光は、金属電極１２４に反射され、観察者の側へ伝搬することとなる。観察者の側へ伝搬する光も、上述したように、基板１２２ｂと接着層２１の境界面或いは基板１２１ｂと接着層２１の境界面においては反射することなく、観察者の側へそのまま伝搬する。
【０１１９】
従って、有機ＥＬ発光層１１１ｂ及び有機ＥＬ発光層１２１ｂから発せられた光の、基板層における反射を防ぎ、光の減衰を抑えることが可能となる。即ち、当該発せられた光は、反射することなく観察者の方向へ向かって伝搬することとなる。更に、観察者と反対の側へ発せられる光も無駄にすることなく有効に観察者に伝搬することとなる。これにより、複数の有機ＥＬ発光層１１１ｂ及び有機ＥＬ発光層１２１ｂによって表示される画像の輝度、明度或いは光量を変化させることなく、該画像本来の輝度、明度或いは光量のままで観察者に視覚させることが可能となる。
【０１２０】
又、図５に示すように、前画面１１ｂ及び後画面１２ｂは、図４の場合と比較して、ガラス封止缶１１７（１２７）に代えて、例えば窒化酸素シリコン等を含んでなる透明封止膜１１８（１２８）が、前画面１１ｂ及び後画面１２ｂを覆って保護するように構成してもよい。本実施例に係る表示装置４によれば、透明封止膜１１８（１２８）により、ガラス封止缶１１７（１２７）と比較して、前画面１１ｂ及び後画面１２ｂの厚さを薄くすることが可能であるという点で優れている。
【０１２１】
尚、図４及び図５において、前画面１１ｂは、トランスペアレント方式の有機ＥＬ表示デバイスを用いており、後画面１２ｂは、ボトムエミッション方式の有機ＥＬ表示デバイスを用いているが、この方式に限られない。
【０１２２】
例えば、図６に示す表示装置５のように、後画面１２ｂにトップエミッション方式の有機ＥＬ表示デバイスを用いても、本実施例に係る表示装置と同様の効果を得ることが可能である。尚、この場合、後画面１２ｂには、有機ＥＬ発光層１２１ｂから発せられた光が、観察者の側へ有効に伝搬されるように、有機ＥＬ発光層とＩＴＯ電極との間に、例えば金属板を含んでなる反射部１２９が設けられる。又、後画面１２ｂの陰極１３０には光透過性が要求されるため、例えばＩＺＯ電極が用いられる。尚、この場合、後画面１２ｂの有機ＥＬ発光層１２１ｂから発せられた光は、透明封止膜１２８、接着層２１及び基板１１２ｂを介して、前画面１１ｂの有機ＥＬ発光層１１１ｂから発せられた光と重なって、観察者に視覚されることとなる。このため、透明封止膜１２８の屈折率は、基板１１２ｂの屈折率よりも大きく、且つ、接着層２１の屈折率は、基板１１２ｂ及び透明封止膜１２８のいずれか一方の屈折率と同一であれば、本実施例に係る表示装置１、２、３及び４と同様の効果を得ることが可能となる。
【０１２３】
又、前画面１１ｂも同様に、基板１１２ｂのうち有機ＥＬ発光層１１１ｂ等が形成されている側が後画面１２ｂに対面するような構成であってもよい。
【０１２４】
従って、何れの方式を採用する有機ＥＬ表示デバイスを用いても、有機ＥＬ発光層から発せられる光の輝度、明度或いは光量等を変化させることなく、観察者に視覚させることが可能となる。
【０１２５】
更に、これらの有機ＥＬ表示デバイスにおいて、基板１１２ｂ及び１２２ｂａに代えて、例えばポリカーボネート或いはポリエチレンテレフタレートを含んでなるポリマーフィルム上に上述の有機ＥＬ発光層１１１ｂ及び１２１ｂを備えることで、フレキシブルな表示装置を実現することも可能である。
【０１２６】
又、本実施例の如く接着層２１を有している表示装置に限らず、接着層２１を有していない表示装置であっても、例えば圧着、熱圧着、熱処理等によって或いは接合状態を維持させるためのネジ、ビス、フレーム、ケース等の接合手段によって、前画面１１の基板１１１及び後画面１２の基板１２１が本実施例に係る表示装置の如く適切に接合されていれば、本実施例に係る表示装置と同様の効果を得ることが可能である。
【０１２７】
尚、本実施例では、有機ＥＬ表示デバイスを、本発明に係る「表示手段」の一例として説明したが、有機ＥＬ表示デバイスに限られることなく、半透明の表示手段であれば、同様の効果を得ることが可能である。
【０１２８】
本発明は、上述した第１実施形態或いは実施例に限られるものではなく、請求の範囲及び明細書全体から読み取れる発明の要旨或いは思想に反しない範囲で適宜変更可能であり、そのような変更を伴う表示装置もまた本発明の技術思想に含まれるものである。
【図面の簡単な説明】
【図１】本発明の実施例に係る表示装置の構成を示すブロック図である。
【図２】本発明の実施例に係る表示装置における光の伝搬経路を概念的に示す模式図である。
【図３】本発明の実施例に係る表示装置の比較例として、従来の構成による表示装置における光の伝搬経路を概念的に示す模式図である。
【図４】本発明の実施例に係る表示装置の構成における一の具体例を概略的に示す模式図である
【図５】本発明の実施例に係る表示装置の構成における他の具体例を概略的に示す模式図である。
【図６】本発明の実施例に係る表示装置の構成における他の具体例を概略的に示す模式図である。
【符号の説明】
１、２、３、４、５・・・表示装置
１１、１１ａ、１１ｂ・・・前画面
１２、１２ａ、１２ｂ・・・後画面
１４・・・画像発生部
１５・・・第一駆動部
１６・・・第二駆動部
１７・・・制御部
２１・・・接着層
２１ａ・・・光学接着剤
１１１、１２１・・・発光層
１１１ａ、１１１ｂ、１２１ａ、１２１ｂ・・・有機ＥＬ発光層
１１２、１１２ａ、１１２ｂ、１２２、１２２ａ、１２２ｂ・・・基板
【図１】
2004226856.tif 000003
【図２】
2004226856.tif 000004
【図３】
2004226856.tif 000005
【図４】
2004226856.tif 000006
【図５】
2004226856.tif 000007
【図６】
2004226856.tif 000008